(57)【要約】【課題】遮熱板を最下部にした誤使用を目視で確認可能にするとともに、同時に感熱棒の挿入を阻止するホットプレートの安全構造を提供すること。【解決手段】ケース本体と、前記ケース本体内に着脱自在に設けられ、複数の脚を有する遮熱板と、前記遮熱板の上方に着脱自在に設けられるプレートと、前記遮熱板と前記プレートとの間に設けられる加熱手段と、感熱棒を有する温度調節器と、を有する電気加熱調理器であって、前記遮熱板は、遮蔽部材を有し、前記遮蔽部材は、前記感熱棒の進入を阻止する機能と、前記複数の脚のうちの一部の脚を上下動する機能とを有する構成。【選択図】図６
2012217672.tif 000002
【特許請求の範囲】
【請求項１】
ケース本体と、前記ケース本体内に着脱自在に設けられ、複数の脚を有する遮熱板と、前記遮熱板の上方に着脱自在に設けられるプレートと、前記遮熱板と前記プレートとの間に設けられる加熱手段と、感熱棒を有する温度調節器と、を有する電気加熱調理器であって、
前記遮熱板は、遮蔽部材を有し、
前記遮蔽部材は、前記感熱棒の進入を阻止する機能と、前記複数の脚のうちの一部の脚を上下動する機能とを有することを特徴とする電気加熱調理器。
【請求項２】
前記遮蔽部材は、前記遮熱板単体では上動し、前記感熱棒の進入を阻止するとともに、前記一部の脚を他の脚より上方に引き上げ、前記遮熱板の上方に前記プレートが設けられると下動し、前記感熱棒の進入を許容するとともに、前記一部の脚を他の脚と同じ位置に下動することを特徴とする請求項１記載の電気加熱調理器。
【発明の詳細な説明】
【技術分野】
【０００１】
電気加熱調理器の一例としてホットプレートがある。ホットプレートは、外郭を構成し底部に脚を有するケース本体と、ケース本体の内側に収納され、ヒーターからの熱がケース本体に伝わるのを遮断するためのほぼ皿形状の遮熱板と、その遮熱板の内側に配置されるヒーターと、そのヒーターの上方にセットされる調理物を調理するためのプレートと、温度調節器を着脱自在に支持する受けカバーとを有し、温度調節器を受けカバーに挿着することによりヒーターに通電し、プレート上の肉等の調理物を加熱調理するものである。
【０００２】
ところで、従来のホットプレートは、その多くがケース本体と、遮熱板と、プレートが着脱自在にされており、調理後にそれぞれを外して清掃等ができるようになっている。
【０００３】
このような３部材が分離可能なホットプレートは、清掃等が容易になる利点を有する反面、例えば、遮熱板をケースにセットしない状態で使用される可能性等が生じ、仮にそのようなことが行われると、加熱調理器を置いたテーブル等が熱により変色或いは変質する等の問題が生じる。
【０００４】
そのような弊害を防止する一例として図１１に示すものが知られている。このホットプレートは、外郭を構成し底部に脚を有するケース本体１と、ケース本体１の内側に収納され、熱がケース本体１に伝わるのを遮断するためのほぼ皿形状の遮熱板２と、その遮熱板２の上方にセットされ調理物を調理するためのプレート３と、プレート３の底部等に取り付けられるヒータ４を有する。
【０００５】
また、本体ケース１の側面には、図示しない温度調節器が挿着される受けカバー５が設けられるとともに、受けカバー５には、温度調節器に設けられる感熱棒８が通るための挿通孔５ａが設けられてなる。
【０００６】
そして、本体ケース１の底面には、遮蔽部材６が配設される。この遮蔽部材６は、開孔６ｃを有する板状の遮蔽部６ａと、下方が開放し、内部にスプリング７が挿入される筒状部６ｂとを有している。
【０００７】
遮蔽部材６は、ケース本体１のみでは図に示すように、スプリング７により上方に押し上げられ、開孔６ｃは、感熱棒８が通るための挿通孔５ａより上方に位置している。そのため、この状態で感熱棒８を挿入しようとしても遮蔽部６ａが感熱棒８を阻止することになる。
【０００８】
本体ケース１内に、通常通り破線で示す遮熱板２がセットされると、遮熱板２の底部が筒状部６ｂの上面に載置されるため、その重みで遮蔽部材６は矢印で示すように下方へ押し下げられる。すると、開孔６ｃが挿通孔５ａと一致する位置になり、感熱棒８は挿入可能となる。このような機構により、ユーザーによるホットプレートの誤使用を防止している（例えば、特許文献１参照）。
【０００９】
ところで、遮熱板２は、ケース本体１内に収納する際、ケース本体１の底面との間に空間を形成するように、図にも示すような４本の断熱機能を有する脚２ａ（実際には１本のみを示す。）が設けられている。そのため、遮熱板２を最下部に置き、その上にケース本体１を置き、その上にプレート３を置くことができることになり、実際にそのような配置で用いられた事例が生じた。
【００１０】
勿論、図１１のような安全装置を有していれば、その段階で多くのユーザーは誤使用に気付くが、その時点で誤使用に気付かない一部ユーザーは、例えば、遮蔽部材６を指で押し下げて感熱棒８を押し込んだり、或いは無理矢理感熱棒８を押し込んだりして使用された。
【００１１】
そして、このような誤使用で調理が行われると、全体が不安定になり、例えば、故障、火傷等の恐れが生じる。
【先行技術文献】
【特許文献】
【００１２】
【特許文献１】特開２０００−８３８３１号公報
【発明の概要】
【発明が解決しようとする課題】
【００１３】
本願発明は、遮熱板を最下部にした誤使用を目視で確認可能にするとともに、同時に感熱棒の挿入を阻止するホットプレートの安全構造を提供することを目的にするものである。
【課題を解決するための手段】
【００１４】
上記目的を達成するため、本願発明は以下の構成を採用する。
【００１５】
請求項１に係る発明では、ケース本体と、前記ケース本体内に着脱自在に設けられ、複数の脚を有する遮熱板と、前記遮熱板の上方に着脱自在に設けられるプレートと、前記遮熱板と前記プレートとの間に設けられる加熱手段と、感熱棒を有する温度調節器と、を有する電気加熱調理器であって、前記遮熱板は、遮蔽部材を有し、前記遮蔽部材は、前記感熱棒の進入を阻止する機能と、前記複数の脚のうちの一部の脚を上下動する機能とを有する構成。
【００１６】
請求項２に係る発明では、請求項１の構成に加え、前記遮蔽部材は、前記遮熱板単体では上動し、前記感熱棒の進入を阻止するとともに、前記一部の脚を他の脚より上方に引き上げ、前記遮熱板の上方に前記プレートが設けられると下動し、前記感熱棒の進入を許容するとともに、前記一部の脚を他の脚と同じ位置に下動する構成。
【発明の効果】
【００１７】
請求項１に係る発明では、遮熱板に、感熱棒の進入を阻止する機能と複数の脚のうちの一部の脚を上下動する機能とを有する遮蔽部材を設けることにより、遮熱板を最下部に置いた場合、遮熱板は傾いてグラグラする状態になるため、ユーザーは目視により誤使用をすぐに認識することができる。また、同時に遮蔽部材が感熱棒の進入を阻止するため、ユーザーに対し、誤使用に対する注意喚起をより強く印象づけることができるようになり、その結果、ホットプレートの信頼性をより高めることができる。
【００１８】
請求項２に係る発明では、遮蔽部材を、遮熱板単体では上動して感熱棒の進入を阻止するとともに、一部の脚を他の脚より上方に引き上げ、遮熱板の上方にプレートが設けられると下動して感熱棒の進入を許容するとともに、一部の脚を他の脚と同じ位置に下動することにより、ユーザーに対し、誤使用に対する注意喚起をより強く印象づけることができる。また、本体ケースと遮熱板とプレートが適正にセットされた場合、遮熱板は全ての断熱機能を有する脚で本体ケース内にセットされることになり、その結果、ホットプレートによる適正な調理を行うことができる。
【図面の簡単な説明】
【００１９】
【図１】本願発明のホットプレートの全体斜視図
【図２】本願発明のヒーターのみを取り付けた遮熱板を上方から見た斜視図
【図３】本願発明の遮熱板に受けカバー及び取付板を取り付けた状態を下から見た斜視図
【図４】本願発明の遮熱板に受けカバー及び取付板を取り付ける状態を示す斜視図
【図５】本願発明の取付板をほぼ正面から見た斜視図
【図６】本願発明の遮熱板の上方にプレートをセットしない状態の概略断面図
【図７】本願発明の遮熱板の上方にプレートをセットした状態の概略断面図
【図８】本願発明のプレートの一部底面図
【図９】本願発明の他の遮熱板の一部斜視図
【図１０】本願発明の更に他の遮熱板の一部斜視図
【図１１】従来のホットプレートの一部断面図
【実施例】
【００２０】
以下、添付の図面を参照して、本願発明の実施の形態について詳述する。
【００２１】
図１に本願発明のホットプレートの全体斜視図を示し、図２にヒーター及び遮蔽部材を取り付けた遮熱板を上方から見た斜視図を示し、図３に遮熱板に受けカバー及び取付板を取り付けた状態、更には遮蔽部材の最下部の状態を下から見た斜視図を示し、図４に遮熱板に受けカバー及び取付板を取り付ける状態を示す斜視図を示し、図５に遮熱板に取付板を取り付けた状態を示す断面図を示し、図６、７に感熱棒と遮蔽部材との位置関係の断面図を示す。
【００２２】
図１に示すように電気加熱調理器の一例であるホットプレートＨは、外郭を構成するケース本体１０と、遮熱板２０と、その遮熱板２０の上方に載置されるプレート３０と、遮熱板２０の内側に配置される加熱手段としてのヒーター３２と、該ヒーター３２への通電を制御するための温度調節器３５と、ヒーター３２に取り付けられる受けカバー４０と、この受けカバー４０を遮熱板２０に取り付ける取付板５０等を有する。
【００２３】
ケース本体１０は、樹脂成形品であり、ホットプレートＨの外郭を構成し、平面視略矩形状でその全体はほぼ皿状からなり、その底部には複数、例えば４本の脚１１を各角部近傍に有する。
【００２４】
またこのケース本体１０の短辺側である左右の両側壁面には、プレート３０の取手３０ａを掴みやすくするための凹嵌部１２、１２が設けられ、図示しないがその底面には空気の流通を促進等させるための大きな開口を有する。
【００２５】
更にその角部側面には、後記の受けカバー４０が嵌合されるための切欠孔１４が設けられる。この切欠孔１４の形状は、受けカバー４０の外形より若干大きい矩形状であり、ケース本体１０に遮熱板２０が挿着される際、まず受けカバー４０を切欠孔１４に内側から挿入した後に遮熱板２０全体が挿着される。装着後は、図１に示すように受けカバー４０の略半分が切欠孔１４から外方に突出する。
【００２６】
前記遮熱板２０は、金属性の薄板をプレス加工により一体形成するものであり、平面視略矩形状でその全体はほぼ皿状からなり、その底部の各角部近傍にに取り付けられる複数、例えば断熱機能を有する３個の固定脚２１と、同じく断熱機能を有する１個の可動脚６２を介してケース本体１０内の所定箇所に載置される。
【００２７】
また、その底部内面には、複数個のヒーター取付片２２がビス２２ａによって取り付けられており、図２に示すようにその先端に形成されるＵ字溝内にヒーター３２を狭持することにより該ヒーター３２を一体的に支持する。
【００２８】
遮熱板２０の一角部２７側面には、その中央に温度調節器３５の感熱棒３６が挿入される中央穴２３が設けられ、その中央穴２３の両側には、中央穴２３とほぼ同径で且つヒーター端子３２ａが挿入される側部穴２４、２４が穿設される。更に側部穴２４、２４の両側には、後記取付板５０の係止片５５が係合する略ト字状の係止溝２５が設けられる。該２個の係止溝２５、２５は同じ方向を向いた同じ形状の穴で、図２に示すように縦溝２５ａと該縦溝２５ａの略中央から水平に伸びる横溝２５ｂとからなる。
【００２９】
遮熱板２０の前記一角部２７側面近傍の底面には、取付板５０を取り付けるための２個のビス穴２６、２６が設けられる。また、２個のビス穴２６、２６の間には、後記遮蔽部材６０が上下動する２本の平行溝２８、２８が設けられ、更に２本の平行溝２８、２８間の中央には、後記可動脚６２の支柱部６２ｂが挿通する円形の支柱用開孔２９が設けられる。なお、図２の丸で囲った部分の係止溝２５の拡大図を、矢印で示すようにその右側に示す。
【００３０】
前記プレート３０は、厚いアルミダイカスト製の部材であり、ケース本体１０と同様の平面視略矩形状でその全体はほぼ皿状からなり、その短辺側の両側面には取手３０ａ、３０ａが設けられる。そして、該プレート３０をケース本体１０に載置した際には、取手３０ａ、３０ａは、ケース本体１０の凹嵌部１２、１２上に載置し、且つその底部は遮熱板２０内に固定されるヒーター３２の上方に位置し、プレート３０でヒーター３２による加熱調理が行われる。
【００３１】
また、プレート３０の底部には、後記遮蔽部材６０を押圧するとともに、温度調節器３５の感熱棒３６を案内するリブ３０ｂが設けられる。その状態を図８に示す。図８（Ａ）は、この実施例のリブ３０ｂを示し、図８（Ｂ）は、この実施例の変形例のリブ７５、７６、７７を示す。
【００３２】
図８（Ａ）のリブ３０ｂは、遮熱板２０の角部２７の位置に対向する位置に角部３０ｃから中央に向かって設けられており、その全体は、２本のリブ３０ｂ、３０ｂからなり、角部３０ｃに近い箇所はラッパ状或いはテーパー状に開き、中央側は平行にされている。
【００３３】
そして、図８（Ａ）で破線で示すように感熱棒３６が挿入される。この場合、角部３０ｃに近い箇所はラッパ状或いはテーパー状に開いているため、感熱棒３６はリブ３０ｂ、３０ｂ内に容易に進入する。また、このリブ３０ｂ、３０ｂの下端面で図７で破線で示すように後記遮蔽部材６０を下方へ押圧することになる。
【００３４】
前記ヒーター３２は、平面視略ハート状或いはＹ字状からなるシーズヒーターであり、金属パイプの中にコイル状の電熱線を通し、パイプと電熱線間の接触を防ぐためマグネシアなどの耐熱性の無機質絶縁粉末を詰め、金属パイプの両端を密封した構造からなるもので通常インコロイヒーターとも呼ばれるものである。シーズヒーターはこのような構造を有するため金属パイプは絶縁されておりたとえ金属パイプに触れたとしても感電することはない。
【００３５】
そしてヒーター３２の両端部であるヒーター端子３２ａ、３２ａは、温度調節器３５の感熱棒３６の両側に穿設される端子穴３５ａ、３５ａ（図１参照）に挿入されることにより通電される。なお、ヒーター３２は、特にシーズヒーターである必要はなく他のヒーターを用いてもよい。
【００３６】
前記温度調節器３５は、ヒーター３２への通電量を制御する機能を有する器具であり、その一側面には電線３７が接続され、また他の側面には、遮熱板２０の中央穴２３に挿入される感熱棒３６を有する。
【００３７】
また、感熱棒３６の両側には、ヒーター端子３２ａ、３２ａが挿入される端子穴３５ａ、３５ａが設けられ、その上面には温度調節用つまみ３８が設けられており、該温度調節用つまみ３８を回動することにより好みの温度を選択することができる。
【００３８】
なお、ホットプレートＨがセットされ、温度調節器３５が受けカバー４０に挿入されると感熱棒３６は、遮熱板２０の中央穴２３より進入し、遮熱板２０の上方にプレート３０がセットされている状態の場合、プレート３０の底部に設けられるリブ３０ｂに案内されて遮熱板２０内のヒーター３２近傍にまで入り込み、プレート３０の温度を検知する。
【００３９】
前記受けカバー４０は、中空状で樹脂製の箱状部材であり、図４に示すように、その正面側には開口部４１が形成され、開口部４１と反対側の背面は閉鎖面４２とされ、その閉鎖面４２には略同径のカバー中央孔４３とその両側部のカバー側部孔４４、４４が設けられる。また、閉鎖面４２は両側外方に張り出してなる鍔部４５、４５を有し、その鍔部４５、４５には、それぞれビス４６が螺合されるビス孔が設けられる。そして、閉鎖面４２の裏側には、取付板５０が取り付けられる。
【００４０】
前記取付板５０は、受けカバー４０を遮熱板２０に取り付けるためのステンレス製の部材であり、平板をプレス成形で作製される。図５に示すように取付板５０は、水平部５１、垂直部５２及び側壁部５３を有する。水平部５１は、その上面が遮熱板２０の底面に当接され、且つビス止めされる水平で略コ字状の部分で、その中央には遮熱板２０の可動脚６２及び２本の平行溝２８、２８を避けるための切欠開口５１ａが設けられ、更にその先端近傍にはビス孔５１ｂが設けられる。
【００４１】
垂直部５２は、その背面が受けカバー４０の閉鎖面４２に当接され、且つビス止めされる垂直で方形の部分で、その中央には板中央孔５２ａが設けられ、該板中央孔５２ａの両側には、板中央孔５２ａと同径の板側部孔５２ｂ、５２ｂが穿設され、更に、板側部孔５２ｂ、５２ｂの板中央孔５２ａとは反対側には、ビス孔５２ｃ、５２ｃが穿設される。
【００４２】
側壁部５３は、垂直部５２の両端部より水平部５１方向に直角に折り曲げられた部分であり、矩形状部５４を有する。そして、係止片５５が矩形状部５４より外方に張り出す形態で延設される。
【００４３】
受けカバー４０と取付板５０との取り付けは次のように行われる。受けカバー４０の閉鎖面４２の背面に取付板５０の垂直部５２の背面を当接し、受けカバー４０のカバー中央孔４３、カバー側部孔４４、４４及び鍔部４５のビス孔を、取付板５０の板中央孔５２ａ、板側部孔５２ｂ、５２ｂ及びビス孔５２ｃ、５２ｃに一致させ、図４に示すようにビス４６、４６を取付板５０のビス孔５２ｃ、５２ｃに螺合して受けカバー４０と取付板５０とを一体に固定し、受けカバー取付板ユニットＹを形成する。
【００４４】
次いで、受けカバー取付板ユニットＹを遮熱板２０に取り付ける。その取り付けは次のように行われる。即ち、図４に示すように、遮熱板２０の角部２７に設けられる２つの係止溝２５、２５の縦溝２５ａ、２５ａに、取付板５０の２つの係止片５５、５５が対向するように受けカバー取付板ユニットＹを位置させ、矢印（１）の方向に受けカバー取付板ユニットＹを押し込む。
【００４５】
次いで、矢印（２）の方向に受けカバー取付板ユニットＹを水平にスライドさせる。その結果、係止片５５は、遮熱板２０の横溝２５ｂに挿入され支持される。その状態になると、遮熱板２０の底面の２つのビス穴２６、２６と取付板５０の水平部５１の２つのビス孔５１ｂ、５１ｂとが一致するため、ビスを遮熱板２０内から螺合することにより両部材を固定する。
【００４６】
受けカバー取付板ユニットＹを遮熱板２０に固定すると、遮熱板２０の中央穴２３と 取付板５０の板中央孔５２ａと受けカバー４０のカバー中央孔４３とが一致し、遮熱板２０の側部穴２４、２４と取付板５０の板側部孔５２ｂ、５２ｂと受けカバー４０のカバー側部孔４４、４４とが一致する。
【００４７】
そして、遮熱板２０の側部穴２４、２４から外方に突出しているヒーター端子３２ａ、３２ａは、受けカバー４０のカバー側部孔４４、４４から図１及び図４に示すように受けカバー４０の開口部４１内に突出する。その結果、カバー中央孔４３、板中央孔５２ａ及び遮熱板２０の中央穴２３より温度調節器３５の感熱棒３６を遮熱板２０内に挿入することができるようになる。
【００４８】
遮熱板２０の前記一角部２７近傍の底面に設けられる取付板５０を取り付けるための２個のビス穴２６、２６間には、２本の平行溝２８、２８が感熱棒３６が差し込まれる方向に直交する形態で設けられるとともに、この２本の平行溝２８、２８内に嵌入する形態で遮蔽部材６０が設けられる。
【００４９】
この遮蔽部材６０は、対向する２個の平板状の側壁部６０ａ、６０ａと、２個の側壁部６０ａ、６０ａの上端部を連結する水平の平板状の頂壁部６０ｂとを有する側面視コ字状の金属製の平板状部材である。そして、頂壁部６０ｂの中央には、図２に示すように可動脚６２を固定するビス６３ａが通るためのビス穴６０ｂ１（図２参照）が形成され、そのビス穴６０ｂ１の上部には、ビス６３ａを支持するためのビス用ワッシャ６３が取り付けられる。
【００５０】
２個の側壁部６０ａ、６０ａ間の長さは、２本の平行溝２８、２８間の長さと同じにされ、２個の側壁部６０ａ、６０ａの左右方向の幅は、２本の平行溝２８、２８のそれぞれの長辺より短くされ、２個の側壁部６０ａ、６０ａの上下方向の高さは、遮蔽部材６０が最も上方に位置する状態で側壁部６０ａの側面で感熱棒３６の進入を阻止するとともに、側壁部６０ａの下端部が２本の平行溝２８、２８から抜け出ない高さとされており、２個の側壁部６０ａ、６０ａのそれぞれの下端部を、遮熱板２０の２本の平行溝２８、２８のそれぞれに嵌入する形態で配置される。
【００５１】
そして、遮蔽部材６０内には、スプリング６１と断熱機能を有する可動脚６２が設けられる。可動脚６２は、脚部６２ａと支柱部６２ｂを有し、支柱部６２ｂの先端には、ビス６３ａが螺合する図示しないビスネジ孔が形成されている。また、遮熱板２０の角部２７近傍の底部に設けられる支柱用開孔２９がある遮熱板２０の内底面には、スプリング受けとなるリング状ワッシャ６４が取り付けられる。
【００５２】
遮蔽部材６０の取り付けは、次のように行われる。可動脚６２の支柱部６２ｂを遮熱板２０の下方より支柱用開孔２９内に嵌入し、嵌入した支柱部６２ｂに上方からスプリング６１を嵌め込む。
【００５３】
次いで、スプリング６１の上方より遮蔽部材６０を被せ、被せた遮蔽部材６０を上方からスプリング６１の力に抗して押圧し、遮蔽部材６０の側壁部６０ａ、６０ａのそれぞれの下端部を、遮熱板２０の２本の平行溝２８、２８のそれぞれに嵌入するとともに、支柱部６２ｂ先端の図示しないビスネジ孔と遮蔽部材６０の頂壁部６０ｂ中央のビス穴６０ｂ１とを一致させる。
【００５４】
そして、ビス用ワッシャ６３の上方から頭部が平らな平ビス６３ａを螺合して、遮蔽部材６０に可動脚６２を固定する。その結果、スプリング６１は、その上方を遮蔽部材６０の頂壁部６０ｂの内面に当接し、その下方をリング状ワッシャ６４の上面に当接する形態で取付けらることになり、頂壁部６０ｂの上方から力が加えられないと遮蔽部材６０を上方へ押上げ、遮蔽部材６０を図６に示すような状態にする。
【００５５】
遮蔽部材６０が図６に示すような状態を占めると、遮蔽部材６０の頂壁部６０ｂは、温度調節器３５の感熱棒３６の進入を阻止する。そのため、ユーザーが遮熱板２０を最下部に置いて使用する場合、遮蔽部材６０は、感熱棒３６の進入を阻止してユーザーに誤使用である旨の注意喚起をする。
【００５６】
また、遮蔽部材６０が図６に示すような状態を占めると、遮熱板２０の４本の脚のうちの１本が引っ込んだ状態になり、ユーザーが遮熱板２０を最下部に置いて使用する場合、遮熱板２０がグラグラしたり、或いは可動脚６２の箇所が下方に下がった傾斜状態になる。そのため、ユーザーは、視認により誤使用であることを認識することができる。即ち、ユーザーに対してより強い注意喚起をすることができる。
【００５７】
この場合、可動脚６２は、重さのある受けカバー４０及び取付板５０の近傍に設けられるため、可動脚６２が引っ込んだ状態の遮熱板２０を床に置いた場合、遮熱板２０は、より確実に傾斜状態になるため、ユーザーは正規の状態でないことを一目で視認することができる。
【００５８】
また、遮熱板２０が傾いた状態で、感熱棒３６を差し込もうとしても、遮蔽部材６０によりより確実に阻止される。仮にユーザーが強い力で感熱棒３６を差し込もうとしても、受けカバー４０が床面近くにあるため、感熱棒３６の差し込み方向は上方から下方に向く方向になるため、遮蔽部材６０の上面を乗り越えて感熱棒３６を差し込むことはできなくなり、ユーザーは誤使用であることをより確認しやすくなる。このように、遮蔽部材６０は、感熱棒３６の進入を阻止する機能と、複数、例えば４本の脚のうちの一部の脚、例えば１本または２本の脚を上下動する機能とを有する。
【００５９】
そして、ケース本体１０に遮熱板２０が収納され、遮熱板２０の上方にプレート３０が載置されると、図８（Ａ）に示すようにプレート３０の下面に設けられるリブ３０ｂ、３０ｂの下端部が遮蔽部材６０の上面を押圧する。
【００６０】
遮蔽部材６０が押圧されると、遮蔽部材６０は下動し、可動脚６２を他の３個の固定脚２１の位置まで押し下げる。このように正規の状態でホットプレートＨの各部材がセットされると、遮熱板２０はケース本体１０内で適正な状態でセットされることになる。
【００６１】
なお、遮熱板２０がケース本体１０内にセットされた状態では、可動脚６２は引っ込んだ状態であるが、遮熱板２０に取り付けられる受けカバー４０の底面が、ケース本体１０の切欠孔１４の下側の長辺の上端に載置されるため、ほぼ水平な状態が保たれる。そして、上記したように、遮熱板２０の上方にプレート３０が載置されると、可動脚６２は他の３個の固定脚２１の位置まで押し下げられ、遮熱板２０は水平になり、受けカバー４０の底面と切欠孔１４の下側の長辺の上端との間に隙間ができるため、調理時に、遮熱板２０の熱が直接受けカバー４０に伝わる弊害は防止される。
【００６２】
図９に変形例を示す。図９のものは、遮熱板２０に取り付ける受けカバー４０を、遮熱板２０の短辺の中央に設けるものである。受けカバー４０を、遮熱板２０の短辺の中央に設けると、受けカバー４０の近傍に遮熱板２０の脚が存在しなくなるため、上述した図１等の遮蔽部材６０を用いることができなくなる。
【００６３】
図９のものは、受けカバー４０の近傍と、一角部２７の近傍の遮熱板２０に、上述した遮蔽部材６０と平行溝２８からなる遮蔽機構とほぼ同様な形状の遮蔽部材７０、７１を配置し、２つの遮蔽部材７０、７１の頂壁部を平板状の連結部材７３で連結したものである。なお、それ以外は図１等のものと同様であり、説明は省略する。
【００６４】
即ち、受けカバー４０近傍の遮熱板２０に遮蔽部材６０とほぼ同様な形状の遮蔽部材７０を設け、角部２７近傍の遮熱板２０に遮蔽部材６０と同様な形状の遮蔽部材７１を設ける。そして、それぞれの遮蔽部材７０、７１の下端部が対向する遮熱板２０の箇所に、それぞれ上述した平行溝２８を設けてなる。
【００６５】
そして、遮蔽部材７０と遮蔽部材７１との頂壁部は、連結部材７３によって連結されており、遮蔽部材７０と遮蔽部材７１と連結部材７３とは一体になって上下動する。この場合、遮蔽部材７１は、遮蔽部材６０と全く同じ構造、即ち、内部にスプリング６１及び可動脚６２を有するが、遮蔽部材７０は、可動脚６２はなくスプリング６１のみが設けられている。
【００６６】
この変形例の場合のプレート３０の底部を図８（Ｂ）に示す。即ち、プレート３０の底部には、Ｐ位置のリブ７５と、Ｑ位置のリブ７６、７６とが設けられることになり、遮蔽部材７０と遮蔽部材７１とは、リブ７５と、リブ７６、７６とにより同時に押し下げられるため、遮蔽部材７０と遮蔽部材７１とが傾斜してスムーズに下動しなくなる弊害が防止される。
【００６７】
図１０に更なる変形例を示す。図１０のものは、図９と同様に遮熱板２０に取り付ける受けカバー４０を、遮熱板２０の短辺の中央に設けるものである。図９との相違は、短辺上にある２本の脚を可動脚にしたものである。
【００６８】
図１０のものは、受けカバー４０の近傍と、短辺状の両角部２７、２７の近傍の遮熱板２０に、上述した遮蔽部材６０と平行溝２８からなる遮蔽機構とほぼ同様な形状の遮蔽部材７０、７１、７２を配置し、３つの遮蔽部材７０、７１、７２の頂壁部を平板状の連結部材７３で連結したものである。なお、それ以外は図１等のものと同様であり、説明は省略する。
【００６９】
即ち、受けカバー４０近傍の遮熱板２０に遮蔽部材６０とほぼ同様な形状の遮蔽部材７０を設け、両角部２７、２７近傍の遮熱板２０に遮蔽部材６０と同様な形状の遮蔽部材７１、７２を設ける。そして、それぞれの遮蔽部材７０、７１、７２の下端部が対向する遮熱板２０の箇所に、それぞれ上述した平行溝２８を設けてなる。
【００７０】
そして、遮蔽部材７０と遮蔽部材７１と遮蔽部材７２との頂壁部は、連結部材７３によって連結されており、遮蔽部材７０と遮蔽部材７１と遮蔽部材７２と連結部材７３とは一体になって上下動する。この場合、遮蔽部材７１と遮蔽部材７２とは、遮蔽部材６０と全く同じ構造、即ち、内部にスプリング６１及び可動脚６２を有するが、遮蔽部材７０は、可動脚６２はなくスプリング６１のみが設けられている。
【００７１】
この更なる変形例の場合のプレート３０の底部を図８（Ｂ）に示す。即ち、プレート３０の底部には、Ｐ位置のリブ７５と、Ｑ位置のリブ７６、７６とＲ位置のリブ７７が設けられることになり、遮蔽部材７０と遮蔽部材７１と遮蔽部材７２とは、リブ７５と、リブ７６、７６と、リブ７７により同時に押し下げられるため、遮蔽部材７０と遮蔽部材７１と遮蔽部材７２とが傾斜してスムーズに下動しなくなる弊害が防止される。なお、この例の場合、２本の脚が可動脚であるため、受けカバー４０が設けられる遮熱板２０の短辺側が確実に傾斜することになり、ユーザーに対してより強い注意喚起を与えることができる。
【００７２】
本願発明は、上記実施例の構成に限定されるものではなく、発明の要旨を逸脱しない範囲において適宜設計変更可能である。なお、ホットプレートをテーブルの上に置きその周りに人が座る場合、ホットプレートの４辺に対向する位置に座る場合が多く、受けカバー取付板ユニットＹを遮熱板２０の角部２７に設けることにより、人に対して邪魔になることがない。
【符号の説明】
【００７３】
Ｈ…ホットプレート              Ｙ…カバー取付板ユニット
１０…ケース本体                １１…脚
１２…凹嵌部                    １４…切欠孔
２０…遮熱板                    ２１…固定脚
２２…ヒーター取付片            ２２ａ…ビス
２３…中央穴                    ２４…側部穴
２５…係止溝                    ２５ａ…縦溝
２５ｂ…横溝                    ２６…ビス穴
２７…角部                      ２８…平行溝
２９…支柱用開口                ３０…プレート
３０ａ…取手                    ３０ｂ…リブ
３０ｃ…角部                    ３２…ヒータ
３２ａ…ヒーター端子            ３５…温度調節器
３５ａ…端子穴                  ３６…感熱棒
３７…電線                      ３８…温度調節器用つまみ
４０…受けカバー                ４１…開口部
４２…閉鎖面                    ４３…カバー中央孔
４４…カバー側部孔              ４５…鍔部
４６…ビス                      ５０…取付板
５１…水平部                    ５１ａ…切欠開口
５１ｂ…ビス孔                  ５２…垂直部
５２ａ…板中央孔                ５２ｂ…板側部孔
５２ｃ…ビス孔                  ５３…側壁部
５４…矩形状部                  ５５…係止片
６０…遮蔽部材                  ６０ａ…側壁部
６０ｂ…頂壁部                  ６０ｂ１…ビス穴
６１…スプリング                ６２…可動脚
６２ａ…脚部                    ６２ｂ…支柱部
６３…ビス用ワッシャ            ６３ａ…平ビス
６４…リング状ワッシャ          ７０、７１、７２…遮蔽部材
７３…連結部材                  ７５、７６、７７…リブ
【図１】
2012217672.tif 000003
【図２】
2012217672.tif 000004
【図３】
2012217672.tif 000005
【図４】
2012217672.tif 000006
【図５】
2012217672.tif 000007
【図６】
2012217672.tif 000008
【図７】
2012217672.tif 000009
【図８】
2012217672.tif 000010
【図９】
2012217672.tif 000011
【図１０】
2012217672.tif 000012
【図１１】
2012217672.tif 000013